(57)【要約】【課題】比較的簡単な構成の長さ調整可能なつなぎ材と少ない種類の筋違で種々のスパンにおける各系統のスパンに容易に対応でき、さらに本体金具を仮設足場や仮囲いの建地に簡単な取付部材で容易に固定でき、コーナー部の処理も簡単に行うことのできる簡易養生朝顔を提供する。【解決手段】本体金具１と、本体アーム２と、つなぎ材３と、筋違４を備えた簡易養生朝顔において、つなぎ材３は、第一つなぎ材３ａと長さの異なる第二つなぎ材３ｂを長穴とボルトにより固定することで、長さ調整可能に組み合わせて構成し、つなぎ材３及び筋違４の端部を本体アームに着脱自在に取付けるグラビティロック５を本体アーム２の基端部と先端部にそれぞれ複数個配設し、これらグラビティロック５を適宜選択し、本体金具１はクランプ６により建地Ｔに固定する。【選択図】      図１
2004308299.tif 000002
【特許請求の範囲】
【請求項１】
仮囲いや仮設足場の建地に取付けられる本体金具と、この本体金具に基端部が取付けられる本体アームと、隣り合う本体アームの基端部同士及び先端部同士をそれぞれ連結するつなぎ材と、隣り合う本体アーム間に配設される筋違を備えた簡易養生朝顔において、
つなぎ材が、第一つなぎ材と第二つなぎ材を長さ調整可能に組み合わせて構成され、つなぎ材及び筋違の端部を本体アームに着脱自在に取付ける取付ピンが本体アームの基端部と先端部にそれぞれ複数個配設されていることを特徴とする簡易養生朝顔。
【請求項２】
請求項１に記載の簡易養生朝顔において、建地に固定されるクランプが本体金具に設けられていることを特徴とする簡易養生朝顔。
【請求項３】
請求項１または２に記載の簡易養生朝顔において、本体アームが円形鋼管からなることを特徴とする簡易養生朝顔。
【請求項４】
請求項１、２または３に記載の簡易養生朝顔において、第一つなぎ材に対して長さの異なる第二つなぎ材が着脱自在に接続され、かつ、第一つなぎ材と第二つなぎ材の接続端部が長穴とボルトにより位置調整可能に固定されていることを特徴とする簡易養生朝顔。
【発明の詳細な説明】
【０００１】
【発明の属する技術分野】
本発明は、工事現場の仮囲いや仮設足場に取付けられる簡易養生朝顔に関するものである。
【０００２】
【従来の技術】
簡易養生朝顔は、仮設足場の外側に設置される仮囲いの布パイプを利用して取付けられたり、枠組足場等の建枠からも簡単に取付けることができ、鉄骨建方や足場解体や溶接作業等における小物類の落下防止に用いられている。
【０００３】
従来の簡易養生朝顔は、図８に示すように、本体金具５０と、本体アーム５１と、つなぎ材５２と、筋違５３から構成されている。本体金具５０から垂設した垂直材５４が枠組足場の建地Ｔや仮囲いの布パイプに添って取付けられ、フックボルト５５やクランプで固定される。本体アーム５１は角パイプからなり、その基端部が本体金具５０にピンを介して固定され、作業完了後には上方に立てて格納し、再度作業するときは突出状態にセットすることができる。つなぎ材５２や筋違５３の端部は、本体アーム５１の両端部のグラビティロック５６に取付けられ、この上に養生シート（図示省略）が張られる。建地の一定のスパンや規格通りのスパンが取れない場合には、つなぎ材５２に伸縮手摺棒が用いられる。
【０００４】
また、本発明に関連する先行技術文献としては、特許文献１がある。この特許文献１の発明は、簡易養生朝顔ではなく、枠組足場に設けられる比較的頑丈な養生朝顔であり、上弦材と下弦材と縦材からなる横向き台形枠のブラケットと、隣り合うブラケットの先端部間に水平材を掛け渡して平面的な枠を構成し、枠組足場の建地に対して上弦材の基端部をクランプで固定し、下弦材の基端部をコ字形金物で固定している。
【０００５】
【特許文献１】
特開平７−２０７９５２号公報
【０００６】
【発明が解決しようとする課題】
仮設足場の建地のスパンには、メーターサイズで１８００，１５００，１２００，９００，６００（単位ｍｍ）があり、さらにインチサイズ系統、メーターサイズ系統、建設会社固有の系統によってスパンが数１０ｍｍ異なっており、従来の伸縮手摺棒によるつなぎ材５２では、長さ調整が面倒であるなどの問題があった。また、筋違５３も各スパンの各系統ごとに多数用意しておかなければならない問題があった。
【０００７】
また、本体金具５０から垂直材５４が垂設されているため、嵩張ると共に、建地への取付けが面倒であるなどの問題があった。さらに、コーナー部では、１本の建地に２本のアームを直角に配設する必要があるが、垂直材５４の付いた本体金具５０を１本の建地に取付けることはできず、コーナー部の処理に問題が生じていた。
【０００８】
本発明は、前述のような問題点を解消すべくなされたもので、その目的は、比較的簡単な構成の長さ調整可能なつなぎ材と少ない種類の筋違で種々のスパンにおける各系統のスパンに容易に対応することができ、さらに本体金具を仮設足場や仮囲いの建地に簡単な取付部材で容易に固定することができると共に、コーナー部の処理も簡単に行うことのできる簡易養生朝顔を提供することにある。
【０００９】
【課題を解決するための手段】
本発明の請求項１は、仮囲いや仮設足場の建地に取付けられる本体金具と、この本体金具に基端部が取付けられる本体アームと、隣り合う本体アームの基端部同士及び先端部同士をそれぞれ連結するつなぎ材と、隣り合う本体アーム間に配設される筋違を備えた簡易養生朝顔において、つなぎ材が、第一つなぎ材と第二つなぎ材を長さ調整可能に組み合わせて構成され、つなぎ材及び筋違の端部を本体アームに着脱自在に取付ける取付ピン（グラビティロックなど）が本体アームの基端部と先端部にそれぞれ複数個配設されていることを特徴とする簡易養生朝顔である。
【００１０】
本発明の請求項２は、請求項１に記載の簡易養生朝顔において、建地に固定されるクランプが本体金具に設けられていることを特徴とする簡易養生朝顔である。本体金具は、例えば、鉛直に配置された取付板の表面（反建地側）に左右一対の側板を溶接等で固定して構成され、左右一対の側板間に本体アームの基端部を挿入して固定ピンで固定されており、前記取付板の裏面（建地側）にクランプを上下一対で配設し、取付板にボルト・ナット等で固定する。このクランプには、２種類の建地の径に使用できる兼用クランプを用いるのが好ましい。
【００１１】
本発明の請求項３は、請求項１または２に記載の簡易養生朝顔において、本体アームが円形鋼管からなることを特徴とする簡易養生朝顔である。本体アームには、従来、角パイプが使用されてきたが、丸パイプを用いることで、後述するように本体アームにクランブが使用できるようにする。
【００１２】
本発明の請求項４は、請求項１、２または３に記載の簡易養生朝顔において、第一つなぎ材に対して長さの異なる第二つなぎ材が着脱自在に接続され、かつ、第一つなぎ材と第二つなぎ材の接続端部が長穴とボルトにより位置調整可能に固定されていることを特徴とする簡易養生朝顔である。例えば、第一つなぎ材を共通の外管とし、第二つなぎ材を種々の長さの内管とし、第一つなぎ材の基端部に第二つなぎ材の先端部を挿入して、長さを変えることにより、建地の種々のスパンに対応できるようにし、さらに長穴とボルトにより固定して、長さを微調整することにより、インチサイズ系統、メーターサイズ系統、建設会社固有の系統に対応できるようにする。
【００１３】
以上のような構成において、第一つなぎ材に適宜選択した第二つなぎ材を接続することにより、建地の種々のスパンに容易に対応することができる。さらに、長穴とボルトにより長さを微調整して固定することにより、インチサイズ系統、メーターサイズ系統、建設会社固有の系統に容易に対応することができる。また、アーム軸方向に一対のつなぎ材の本体アームへの取付けも、複数個の取付ピンを適宜選択することにより、インチサイズ系統、メーターサイズ系統、建設会社固有の系統に容易に対応することができる。さらに、筋違の本体アームへの取付けも、複数個の取付ピンを適宜選択することにより、インチサイズ系統、メーターサイズ系統、建設会社固有の系統に容易に対応することができる。以上により、比較的簡単な構成の長さ調整可能なつなぎ材と少ない種類の筋違で種々のスパンにおける各系統のスパンに容易に対応することができる。
【００１４】
また、本体金具に従来の垂直材に代えてクランプを設けることにより、本体金具部分を簡単でコンパクトな構成とすることができると共に、仮設足場や仮囲いの建地に容易に固定することができる。また、コーナー部では、１本の建地に２本の本体アームを直角に配設する必要があるが、クランプを用いることにより１つのクランプに２つの本体金具を直角配置でき、１本の建地に２本の本体アームを直角に配設することができる。
【００１５】
さらに、コーナー部において建地が隣接して設置される部分では、一方の建地に取付けた本体アームに、他方の建地に取付けていない本体アームを固定しなければならないが、本体アームに円形鋼管を使用することにより、両者をクランプで容易に固定することができる。
【００１６】
【発明の実施の形態】
以下、本発明を図示する実施の形態に基づいて説明する。図１は本発明の簡易養生朝顔の一例を示す側面図と平面図である。図２は図１の本体アームを示す平面図と側面図と端面図である。図３、図４は図１のつなぎ材を示す平面図と分解側面図である。
【００１７】
図１の実施形態において、本発明の簡易養生朝顔は、主として、仮囲いや仮設足場の建地Ｔに取付けられる本体金具１と、この本体金具１に基端部が取付けられる本体アーム２と、隣り合う本体アーム２、２の基端部同士及び先端部同士をそれぞれ連結するつなぎ材３と、隣り合う本体アーム２、２間に配設される筋違４から構成されている。
【００１８】
つなぎ材３は、後述するように第一つなぎ材３ａと第二つなぎ材３ｂを長さ調整可能に組み合わせて構成される。つなぎ材３及び筋違４の端部を本体アーム２に着脱自在に取付ける取付ピン、即ち先端部側面に係止爪を出没自在に設けたグラビティロック５が本体アーム２の基端部と先端部にそれぞれ複数個（図示例では２個）配設され、この複数個のグラビティロック５を適宜選択してつなぎ材３及び筋違４が取付けられる。本体金具１は上下一対のクランプ６、６により建地Ｔに固定される。
【００１９】
図２に示すように、本体アーム２は円形鋼管であり、先端部の上部にグラビティロック５ａ、５ｂが間隔ａ１  をおいて突設され、基端部の上部にグラビティロック５ｃ、５ｄが間隔ａ２  をおいて突設されている。本体アーム２の先端面には塞ぎ板１０が設けられ、中間部には養生シートを留めるための留めリング１１が間隔をおいて複数設けられている。本体アーム２の基端部には本体金具１に取付けるための取付穴１２、１２が設けられている。
【００２０】
図３、図４に示すように、つなぎ材３は円形鋼管から構成され、第一つなぎ材３ａが外管、第二つなぎ材３ｂが内管であり、第一つなぎ材３ａの基端部に第二つなぎ材３ｂの先端部を挿入することで一体的なつなぎ材３とすることができる。第一つなぎ材３ａには長さの同じ共通のものを使用し、第二つなぎ材３ｂに長さの異なるものを使用することにより、建地の種々のスパンＳに対応させることができる。なお、これに限らず、第一つなぎ材３ａと第二つなぎ材３ｂに長さの異なるものを使用して組み合わせてもよい。
【００２１】
さらに、第二つなぎ材３ｂの先端部（接合部）に軸方向に長い長穴２０を形成し、第一つなぎ材３ａの基端部（接合部）に形成したボルト穴２１と前記長穴２０にボルト２２を挿入して固定する。長穴２０の長さ分だけ伸縮自在に接続して長さαの微調整ができ、前記各スパンＳにおいて、インチサイズ系統、メーターサイズ系統、建設会社固有の系統によって数１０ｍｍ異なるスパン（Ｓ−α）に対応することができる。
【００２２】
第一つなぎ材３ａの先端部と第二つなぎ材３ｂの先端部は、偏平に加工されて取付板部２３が形成されており、この取付板部２３にグラビティロック５が挿入される取付穴２４が形成されている。なお、第一つなぎ材３ａと第二つなぎ材３ｂには養生シートの留めリング２５が設けられている。
【００２３】
図３、図４の図示例は、スパンＳがメーターサイズで２０００，１８００，１５００，１２００，９００，６００  （単位ｍｍ）の６種類の場合である。なお、図４（ｃ）  の場合は、一体型のつなぎ材３としている。
【００２４】
図５は、建地のスパンＳの例を横方向に連続して例示し（実際にこのように配置されるのではない）、さらにインチサイズ系統、メーターサイズ系統、ある建設会社固有の系統を示したものである。図３、図４のつなぎ材３を使用することにより、スパンＳ２  〜Ｓ６  （１８００〜６００）に対応することができると共に、αの伸縮微調整によりインチサイズ系統、メーターサイズ系統、ある建設会社固有の系統に対応することができる。
【００２５】
さらに、図５において、つなぎ材３を取付けるグラビティロック５を適宜選択することにより、インチサイズ系統、メーターサイズ系統、ある建設会社固有の系統で異なる一対のつなぎ材３、３の間隔Ｌに対応することができる。
【００２６】
また、筋違４も、グラビティロック５を適宜選択することにより、インチサイズ系統、メーターサイズ系統、ある建設会社固有の系統で同じ長さの筋違４を使用することが可能となる。スパンＳ２  では、同じ長さの筋違４を使用することができる。スパンＳ３  以下では、インチサイズ系統とある建設会社固有の系統で同じ長さの筋違４を使用することができ、メーターサイズ系統では、異なる筋違４’を使用しなければならないが、用意する筋違いの種類を少なくすることができる。
【００２７】
図６は、本体金具１の一例を示したものであり、取付板３０と、左右一対の側板３１、３１と、補強板３２から構成されている。取付板３０にクランプ６がボルト・ナット３３により固定される。このクランプ６は、いわゆる兼用クランプであり、２種類の径の建地に固定することができる。側板３１には、本体アーム２の取付穴１２、１２に対応した固定穴３４が形成されており、これら取付穴１２と固定穴３４に固定ピン３５を挿入することにより、本体アーム２を本体金具１に固定することができる。なお、下側の固定穴３４は、上の一つの固定穴３４を中心とする円弧上に複数個（図示例では３個）配設されており、本体アーム２を前方に傾斜して突出する設置状態や建地側に立てて格納する格納状態等とすることができる。
【００２８】
固定ピン３５は、図６（ｄ）  、（ｅ）  に示すように、Ｌ字状のピンであり、先端に離脱防止用の係止爪３６が設けられている。この係止爪３６は、取付穴１２と固定穴３４に挿入すると、自動的に落下して固定ピン３５の離脱を防止するものであり、２つのピン３７、３８により固定ピン３５に固定され、ピン３８の挿入穴を大きくすることによりピン３７を中心として所定角度だけ回転し、係止爪３６の先端部分が出没できるようにされている。なお、この固定ピン３５はワイヤ３９を介して側板３１に取付けられている。
【００２９】
図７は、仮設足場のコーナー部における簡易養生朝顔の平面配置を示したものであり、角部の建地Ｔ１  には、直交する２本の本体アーム２のクランプ６を同一高さ位置に取付けることができない。そこで、図７（ｂ）  に示すように、クランプ６の基体６ａの直交する２面にＬ形鋼（アングル材）からなる取付板３０を取付け、このＬ形鋼３０の二辺にそれぞれ一対の側板３１、３１を取付けて２つの本体金具１，１を設ければ、図７（ａ）  に示すように、角部の建地Ｔ１  に、直交する２本の本体アーム２、２を配置することができる。
【００３０】
また、コーナー部において直交する２つの仮設足場の接続部分では、隣接する建地Ｔ２  、Ｔ３  にそれぞれにクランプ６を配置することができないため、一方の建地Ｔ２  にクランプ６を固定し、このクランプ６の本体アーム２とクランプの無い支持されていない本体アーム２’とを固定する必要があるが、本体アームを円形鋼管とすることにより、本体アーム２と本体アーム２’とをダブルクランプで接続することが可能となる。
【００３１】
【発明の効果】
本発明は、以上のような構成からなるので、次のような効果が得られる。
【００３２】
（１）  つなぎ材を、第一つなぎ材と第二つなぎ材を長さ調整可能に組み合わせて構成し、つなぎ材及び筋違の端部を本体アームに着脱自在に取付ける取付ピンを本体アームの基端部と先端部にそれぞれ複数個配設しているため、第一つなぎ材に適宜選択した第二つなぎ材を接続することにより、建地の種々のスパンに容易に対応することができる。さらに、長穴とボルトにより長さを微調整して固定することにより、インチサイズ系統、メーターサイズ系統、建設会社固有の系統に容易に対応することができる。また、アーム軸方向に一対のつなぎ材の本体アームへの取付けも、複数個の取付ピンを適宜選択することにより、インチサイズ系統、メーターサイズ系統、建設会社固有の系統に容易に対応することができる。さらに、筋違の本体アームへの取付けも、複数個の取付ピンを適宜選択することにより、インチサイズ系統、メーターサイズ系統、建設会社固有の系統に容易に対応することができる。以上により、比較的簡単な構成の長さ調整可能なつなぎ材と少ない種類の筋違で種々のスパンにおける各系統のスパンに容易に対応することができる。
【００３３】
（２）  本体金具に従来の垂直材に代えてクランプを設けることにより、本体金具部分を簡単でコンパクトな構成とすることができると共に、仮設足場や仮囲いの建地に容易に固定することができる。
【００３４】
（３）  コーナー部では、１本の建地に２本の本体アームを直角に配設する必要があるが、クランプを用いることにより１つのクランプに２つの本体金具を直角配置でき、１本の建地に２本の本体アームを直角に配設することができる。
【００３５】
（４）  コーナー部において建地が隣接して設置される部分では、一方の建地に取付けた本体アームに、他方の建地に取付けていない本体アームを固定しなければならないが、本体アームに円形鋼管を使用することにより、両者をクランプで容易に固定することができる。
【図面の簡単な説明】
【図１】本発明の簡易養生朝顔の一例であり、（ａ）  は側面図、（ｂ）  は平面図である。
【図２】図１の本体アームであり、（ａ）  は平面図、（ｂ）  は側面図、（ｃ）  は端面図である。
【図３】図１のつなぎ材の種々の長さのもの（その１）を示す平面図と分解側面図である。
【図４】図１のつなぎ材の種々の長さのもの（その２）を示す平面図と分解側面図である。
【図５】建地のスパンの例を横方向に連続して例示し、インチサイズ系統、メーターサイズ系統、ある建設会社固有の系統別に示した簡易養生朝顔の平面図である。
【図６】図１の本体金具の一例を示したものであり、（ａ）  は平面図、（ｂ）  は側面図、（ｃ）  は背面図、（ｄ）  は固定ピンの側面図、（ｅ）  は固定ピンの下面図である。
【図７】仮設足場のコーナー部における簡易養生朝顔の平面配置を示したものであり、（ａ）  は平面図、（ｂ）  はクランプの平面図である。
【図８】従来の簡易養生朝顔を示す斜視図である。
【符号の説明】
Ｔ……建地
１……本体金具
２……本体アーム
３……つなぎ材
３ａ…第一つなぎ材（外管）
３ｂ…第二つなぎ材（内管）
４……筋違
５……グラビティロック
６……クランプ
６ａ…基体
６ｂ…抱持体
１０……塞ぎ板
１１……留めリング
１２……取付穴
２０……長穴
２１……ボルト穴
２２……ボルト
２３……取付板部
２４……取付穴
２５……留めリング
３０……取付板
３１……側板
３２……補強板
３３……ボルト・ナット
３４……固定穴
３５……固定ピン
３６……係止爪
３７……ピン
３８……ピン
３９……ワイヤ
【図１】
2004308299.tif 000003
【図２】
2004308299.tif 000004
【図３】
2004308299.tif 000005
【図４】
2004308299.tif 000006
【図５】
2004308299.tif 000007
【図６】
2004308299.tif 000008
【図７】
2004308299.tif 000009
【図８】
2004308299.tif 000010